【手続補正書】
【提出日】平成19年2月27日(2007.2.27)
【手続補正１】
【補正対象書類名】明細書
【補正対象項目名】全文
【補正方法】変更
【補正の内容】
【書類名】        明細書
【発明の名称】    治療具
【特許請求の範囲】
【請求項１】  人体に配設する治療具であって、
当該治療具の上面を球面状に構成し、
当該治療具の下面を平面状もしくは半球形の凹面状に構成した、
半球状もしくは柱状の治療具であることを特徴とする治療具。
【発明の詳細な説明】
【０００１】
【発明の属する技術分野】
本発明は、人体に配設し治療を行う為の治療具に関するものである。より詳しくは、東洋医学における気を、体内に送り身体の治療を行う治療器具の一種である。
【０００２】
【従来の技術】
東洋医学では、生体を正常に保つために、循環系や神経系の他に気が循環していると考えられている。その気の流れに異常が起きると病気になると考えられている。
【０００３】
東洋医学において、気には正気と邪気があり、正気は人の生理機能を良くし、邪気は生理機能を阻害するとされる。
このため、正気に相当するものを患者に当てて治療することが最近行われている。
【０００４】
気の性質もしくは原理を利用した治療具として、特開平９−１７３４１４号公報に記載の技術が知られている。これは、透光性の材質により底面が直径１〜１５cmの円で高さが０．２〜１cmの円錐形に形成したものを用いるものである。この気功エネルギー集中器の頂点部分の角度は鈍角に構成されている。
【０００５】
そして、東洋医学の解明例として、ツボを刺激し、化学的成分を分泌させて、筋肉や脊椎や脳に送り込む治療法が知られている。
まず、ツボを刺激することにより、この刺激が脳に伝達される。そして、脳内においてエンドルフィンなど化学的成分が分泌されるものである。脳内において分泌されたホルモン等の化学物質は、苦痛を和らげたり、ほかの化学的成分やホルモンの分泌を促したり、体の調整システムに影響を及ぼすものである。
【０００６】
さらに、色彩が人体に影響を与えることは実験的に証明されているものである。これらは、西洋医学においてはカラーセラピーとして、東洋医学においては経絡色体診断による三経絡構成治療法として発達しているものである。
色は視覚のみで反応するのではなく皮膚も色を感じ人体に様々な影響を及ぼしていることが最近の実験であきらかにされている。
例えば、赤色と青色に塗ったそれぞれの部屋に一定時間、目隠しした被験者を入れ、サーモグラフや被験者の精神状態、感覚などを調べた結果、赤い色の部屋の場合、体表の温度上昇が測定され、感覚も体全体が暖かく感じ気分も高揚した感じになった。一方青色の部屋の場合は、体表温度の変化はみられず、感覚は冷やとした感じで気分が沈みがちになった等の実験結果が報告されている。
【０００７】
【発明が解決しようとする課題】
東洋医学における気を用いた治療は、近年においてその有用性を見直されながらも、その解釈の相違から多用な方法が用いられている。
そして、色彩を用いた治療方法を考慮した場合、色から人が受ける影響は西洋と東洋では大きく異なると考えられる。これは、自然環境が大きく異なること、例えば生息する動植物の違いや、歴史的、社会的な色の意味が異なるためであると考えられる。
【０００８】
【課題を解決するための手段】
このような状況を考慮し、東洋医学および気について様々な検討を行うとともに、数多くの試行をし、多くの被験者の意見を総合して、発明者は次のような手段を用いるものである。
すなわち、請求項１に記載のごとく、人体に配設する治療具であって、当該治療具の上面を球面状に構成し、当該治療具の下面を平面状もしくは半球形の凹面状に構成した、半球状もしくは柱状の治療具であることを特徴とする治療具。
【０００９】
【発明の実施の形態】
気はものの形、色（素材、温度）と深いかかわりがある。特に人体の気への影響を考えた場合には、これらの違いによって、病気にすることも、治療を行うことも可能である。
形の違いによって気の流れる方向が決まり、人体内にある気を抜いたり、人体内に気を入れることができる。さらに、色（素材や温度）の違いによっても、人にとって正気（人体にとって良い気）になる気もあれば、邪気（人体にとって害を成す気）になる気もある。また、色の違いにより気を増やせる部分（臓腑や経絡）が違い、同じ色であっても、ある部分に対しては邪気となることがある。
これらのなかで、発明者は、半球形という形状と青、赤、黄、白、黒の五色の色を考慮して、本発明の治療具を構成している。
【００１０】
東洋医学の原典である『黄帝内経』の霊枢「官能第七十三」中に、針治療についての記載がなされている。
発明者は、この記述において、補法（正気を体内に入れること）と瀉法（邪気を体外に抜き取ること）を行うのに、針先の形状の違いを用いても可能であることを見出した。
つまり、針先が鋭角な円錐形は先から気が出るので補法に用いることができる。そして、針先が半球形のものは、先から気を吸うので、瀉法に用いることができるものである。
【００１１】
以上のことから、半球形における気の流れが、球面側より気を吸い、底面側より気が出ることが推測された。このことを検証すべく、プラスチック、紙などの素材により、種々の大きさの半球形物を構成し、調べた。
この結果、素材、大きさに関係なく、気が球面側より底面側に流れていることがわかった。
【００１２】
そして、気を流す力は半球形の大きさに比例し、カップ状の半球形物では、厚さを均一にすることにより、気をスムーズに流すことがわかった。また、円柱の上部を半球形に成形した場合や、円柱の下面を半球状に削ったものにおいても気の流れが生じることがわかった。
円柱の上部を半球形に成形した場合においては、半球形側より気が流入し、他端の平面部より気が流出する。そして、円柱の下面を半球状に削った場合においては、半球形に彫った凹状部分より気が流出し、他端の平面部より気が流入するものである。
【００１３】
次に、色と正気について説明する。
正気は『木、火、土、金、水』の五つに分けられると考えられる。そして、色、臓腑、経絡もこの五つに配当される。
すなわち、木に分類されるのは、臓では肝、色では青、腑では胆、経絡では足の厥陰経である。このように、火には、心（心臓）、赤、小腸、手の少陰経が分類される。土には、脾、黄、胃、足の太陰経が分類される。金には、肺、白、大腸、手の太陰経が分類される。水には、腎、黒、膀胱、足の少陰経が分類される。
すなわち、同じ分類に属する色の正気を人体に送ることにより、その分類に属する臓腑と経絡の気が増すのである。
経絡とは気の通り道であり、全身にくまなく走り、外は皮膚につながり、内は臓腑につながっている。
【００１４】
次に、本発明の実施の形態について図を用いて説明する。
図１は治療具の使用構成を示す図、図２は治療具の第一実施例を示す図、図３は同じく第二実施例を示す図、図４は同じく第三実施例を示す図、図５は同じく第四実施例を示す図、図６は同じく第五実施例を示す図、図７は同じく第六実施例を示す図、図８は球面と円錐面の状態を示す図、図９は同じく側面断面図である。
【００１５】
本発明の治療具１は人体にかざしたり、乗せたり、貼り付けたりして用いるものである。
治療具１は人体に一個または複数個配設することができ、臓腑、経絡に応じた色の治療具１を配設することにより、治療効果を向上することが出来るものである。
治療具１の色としては、前述の青、赤、黄、白、および黒に着色したものを用いるものである。
そして、効能の一例として、治療具に行われた着色は、該治療具が皮膚近傍に配設されることにより、皮膚下の神経もしくは皮膚および皮膚近傍の細胞を刺激する。治療具を配置することにより、神経が脳に刺激を伝え、脳において脳内物質が分泌され、身体の状態を良好に保つものである。
【００１６】
次に、治療具１の形状について説明する。
図２（ａ）は第一実施例である治療具の斜視図、図２（ｂ）は第一実施例である治療具の側面図、図２（ｃ）は第一実施例である治療具の平面図である。
図２に示すごとく、治療具１は半球形に構成されている。治療具１の上面２は半球面状により構成されており、底面３は円形の平面により構成されている。
治療具１の形状は、球を丁度二分した形状であり、球の中心を通る面により分割した形状になっている。
なお、治療具１の内部は詰まった状態になっており、中空構造ではない。
【００１７】
治療具１を構成する素材としては、金属、木材、樹脂、プラスチック、ガラス、陶器、紙等を用いることができる。なお、上面２は真球の球面に近ければ近いほどその効果がよいものである。
治療具１の大きさとしては、底面３の直径が５cmから１５cmとすることが良く、より望ましくは１０cmから１５cmである。
治療具１の使用方法としては、底面３を人体に接触させるように、該治療具１を人体上に配設するものである。また、衣服の上からかざしてもよい。
さらに、治療具１は、人体の体温程度に加温して使用する。もしくは常温か、体温より若干高く暖めて使用してもよい。
【００１８】
次に、治療具の第二実施例について説明する。
図３（ａ）は第二実施例である治療具の斜視図、図３（ｂ）は第二実施例である治療具の側面図である。
第二実施例において、治療具４は球の中心より下の下部を平面で切り取った形状となっており、上部面５が球面状に構成されており、底面６が円形の平面により構成されている。すなわち、第二実施例においては、底面６の直径より治療具４の最大直径が大きく構成されるものである。
【００１９】
次に、治療具の第三実施例について説明する。
図４（ａ）は第三実施例である治療具の斜視図、図４（ｂ）は第三実施例である治療具の側面図である。
第三実施例において、治療具２０は球の中心より上の下部を平面で切り取った形状となっており、上部面２１が球面状に構成されており、底面２２が円形の平面により構成されている。
【００２０】
次に、治療具の第四実施例について説明する。
図５（ａ）は第四実施例である治療具の斜視図、図５（ｂ）は第四実施例である治療具の側面図である。
第四実施例において、治療具７は、円柱の上部に半球を取り付けた形状となっており、上部面８が球面状に構成されており、底面１０が円形の平面により構成されている。
そして、上部面８と底面１０は円柱９により接続されるものである。ここにおいて、治療具７は円柱と半球体を接続して構成することも可能であり、一体的に構成することも可能である。
【００２１】
上記第一乃至第四実施例の治療具は平面に構成された底面を人体に当接させるものである。これにより、球面状に構成された部位より気が流入して、平面に構成された部位より気が放出される。これにより、平面部に接した人体に気が注入されるものである。
【００２２】
次に、治療具の第五実施例について説明する。
図６（ａ）は第五実施例である治療具の斜視図、図６（ｂ）は第五実施例である治療具の側面断面図である。
第五実施例において、治療具１１は、円柱の下部に半球状の凹部を設けた形状となっており、上部面１２が平面状に構成されており、底面１４が半球形のすり鉢状に構成されている。そして、上部面１２と底面１４は円柱１３により接続されるものである。
ここにおいて、治療具１１は内部が詰まった状態となっており、円柱の下部を球状に削り取ることにより構成することができ、射出成形等により、成形することも可能である。
また、前述の第四実施例のように円柱の上部を半球形状の凸部とし、円柱の下部を半球形状の凹部としてもよい。
【００２３】
次に治療具の第六実施例について説明する。
図７（ａ）は第六実施例である治療具の斜視図、図７（ｂ）は第六実施例である治療具の側面断面図である。
第六実施例において、治療具１６は半球形のカップ状に構成されており、上部面１７は半球形の凸面により構成される。そして、下部面１８は半球形の凹面により構成される。なお、上部面１７と下部面１８の間の厚みは均一に構成されている。
【００２４】
上記第五・第六実施例の治療具は凹形状に構成された下部面を人体側にして当接させるものである。これにより、凹型の球面状に構成された下部面より気が流出して、上部面から気が流入する。これにより、気の流れが形成され、治療具より人体に気が注入されるものである。
さらに、第六実施例においては、上部面１７が凸型の半球形に構成されているので、球面状に構成された部位より気が流入するため、治療具による気の注入効果を向上させるものである。また、半球形のカップ状であるので軽量となり、その取り扱いも容易となる。
なお、前述の第二・第三・第四実施例の形状のものをカップ状に構成することも可能である。
また、上部が球面状であり、下部が平面状もしくは凹状（カップ状）である、断面視三角形状以外で、六角形や八角形等の多角形状の柱体であっても一定の効果を奏する気の流れが生じる。
【００２５】
このような、気の流入をもたらす形状について、図８および図９を用いて説明を行う。
図８（ａ）は球面上の一点が受ける力の状態を示す図、図８（ｂ）は円錐面上の一点が受ける力の状態を示す図である。
図８（ａ）に示すごとく、球面上の点は球体よりａ１、ａ２、ｂ１、ｂ２の力を受ける。ここにおいて、力は、磁力、重力、クーロン力等の力の総称もしくは、単にベクトルとして言いかえることが可能なものを用いるものであり、特に限定を行うものではない。
ａ１、ａ２はＺＹ平面に平行な力を示し、ｂ１、ｂ２はＺＸ平面に平行な力を示すものである。なお、斜線で示すＺ軸は球面上の点における法線ベクトルに平行な軸であり、Ｘ軸Ｙ軸は互いに直交する関係にある。
【００２６】
球面上の点が球面から受ける力は、球面内側である。これは、球面のある一点から球面上を微少量移動する場合、その方向はＸ軸もしくはＹ軸より内側に向く為である。
たとえば、無重力下における表面張力を考えた場合、液体は球形になる。これは、液体を構成する分子もしくは原子が分子間力もしくは重力により隣接する分子同士が引き合うためである。すなわち、液体分子が互いに集まり、それぞれが液体の集合した中心部に引き込まれることにより、液体が球形を成すのである。
【００２７】
固体においては、上記のように分子間に上述のような力がかっているが、それ以上に分子間の結合力が強く、一定の形状を保つものである。しかし、分子間に内側にもぐりこもうとする力は存在している。
気を治療具内に流入させる力が、この力とは断定できないが、球面上において、ａ１、ａ２、ｂ１、ｂ２に示す力もしくは性質が発生もしくは存在することは確かである。
【００２８】
なお、図８（ｂ）に示す、円錐面上の一点では、ＺＸ平面に平行な力は発生するが、Ｙ軸方向の力を定める要素が欠落する。これは、円錐側面のある一点から曲面上をＹ軸方向に微少量移動する場合、その方向はＹ軸と平行である。
図９（ａ）は球面上の一点が受ける力の状態を示すＺＹ平面断面図、図９（ｂ）は円錐面上の一点が受ける力の状態を示すＺＹ平面断面図である。
すなわち、球面と円錐面において、ｂ１、２ｂは同一であるが、ＺＹ平面において、図９に示すごとく、球面にはベクトルａ１、ａ２により球面内側に向かうベクトルが存在しうるが、円錐面には内側に向かう力が働かない。
このため、円錐表面と球面表面の効果は大きくことなるものである。
【００２９】
また、気が光等の波動の性質を持ち、物質内を見かけ上もしくは実質的に通る性質をもつ場合においても、スネルの法則に示されるごとく、第２媒質中に光の波を励起する源は境界面における振動であるから、境界面の形状が入射光の屈折に関係するものである。
そして、治療具を人体の皮膚上に配設することにより、形状により、気もしくは何らかの影響を人体側に流出させ、与えるものである。
【００３０】
なお、気の流れる方向としては、平面において３０度や４５度の鋭角の線を描くと、角の内側から先端に向かい出て行き、９０度から鈍角の線を描くと、角の外側から内に向かい出て行く。これを立体的にすると円錐形となり、同様に鋭角のものは先端より出て行き、同様に鈍角のものは底面から出て行く。
そして、半円の線を描くと、凸側から凹側へ気が流れる。この気の流れが大となる形状が、上面を球面状（半円形状、曲面状）にし、下面を平面状に形成したものであり、この形状により治療具を構成した。また、断面視にて半円形状のものであれば、同様の流れが生じるので、治療具を蒲鉾状（円柱を半割りしたもの）とすることも可能である。
【００３１】
【発明の効果】
本発明は以上のごとく構成したので、次のような効果を奏する。
請求項１に記載のごとく、人体に配設する治療具であって、当該治療具の上面を球面状に構成し、当該治療具の下面を平面状もしくは半球形の凹面状に構成した、半球状もしくは柱状の治療具とするので、該治療具を身体に配設することにより、気を身体に注入し、身体を良好な状態に促すことができる。
【図面の簡単な説明】
【図１】
治療具の使用構成を示す図。
【図２】
治療具の第一実施例を示す図。
【図３】
同じく第二実施例を示す図。
【図４】
同じく第三実施例を示す図。
【図５】
同じく第四実施例を示す図。
【図６】
同じく第五実施例を示す図。
【図７】
同じく第六実施例を示す図。
【図８】
球面と円錐面の状態を示す図。
【図９】
同じく側面断面図。
【符号の説明】
１  治療具
２  上部面
３  底面